(57)【要約】本発明は、記憶媒体の一部に記録されたフィールド・ピクチャを含んでいる選択されたビデオ・セグメントの再生速度を変えるシステムおよび方法を含んでいる。選択されたビデオ・セグメントが、変えられた再生速度用に変更することができ、その変更されたビデオ・セグメントは記憶媒体の一部に排他的に記録することができる。その変更されたビデオ・セグメントに含まれるデータの量を減少させるために、選択されたビデオ・セグメントに於ける複数の非ビデオ・パックを削除する。そのビデオ・セグメントは、少なくとも１つのフィールド・ピクチャを加えることにより変更することができる。代替構成として、そのビデオ・セグメントは、ビデオ・セグメントに含まれる少なくとも１つのフィールド・ピクチャを取り除くことにより変更することができる。何れの構成に於いても、ビデオ・セグメントは、円滑なトリック・モードおよび再生性能が得られるように再符号化することができる。
2005525710.tif 000002
【特許請求の範囲】
【請求項１】
書き換え可能な記憶媒体に於いて、前記記憶媒体の一部に記録されたフィールド・ピクチャを含んでいる選択されたビデオ・セグメントの再生速度を変える方法であって、
変えられた再生速度用に前記選択されたビデオ・セグメントを変更するステップと、
前記変更されたビデオ・セグメントを前記メディアの前記一部に記録するステップと、
を含んでいる方法。
【請求項２】
前記記録するステップは、更に、前記メディアの前記一部に排他的に前記変更されたビデオ・セグメントを記録するステップを含んでいるものである、請求項１に記載の方法。
【請求項３】
前記変更されたビデオ・セグメントに含まれるデータの量を減少させるために、前記選択されたビデオ・セグメントに於ける複数の非ビデオ・パックを削除するステップを更に含んでいる、請求項１に記載の方法。
【請求項４】
前記変更されたビデオ・セグメントに含まれる少なくとも１つのフィールド・ピクチャの解像度を減少させるステップを更に含んでいる、請求項１に記載の方法。
【請求項５】
前記記録するステップの期間に於いて前記変更されたビデオ・セグメントのビットレートを低下させるステップを更に含んでいる、請求項１に記載の方法。
【請求項６】
前記選択されたビデオ・セグメントは、イントラ・フィールド・ピクチャおよび非イントラ・フィールド・ピクチャを含んでいるものである、請求項１に記載の方法。
【請求項７】
前記変更するステップは、前記選択されたビデオ・セグメントに、ダミー・フィールド・ピクチャと反復フィールド・ピクチャとで構成された少なくとも１つのグループを挿入するステップを含んでいるものである、請求項６に記載の方法。
【請求項８】
前記選択されたビデオ・セグメントに挿入される前記ダミー・フィールド・ピクチャと前記反復フィールド・ピクチャの数は、前記変えられた再生速度に基づいて決まるものである、請求項７に記載の方法。
【請求項９】
前記イントラ・フィールド・ピクチャおよび非イントラ・フィールド・ピクチャ、前記ダミー・フィールド・ピクチャ、および前記反復フィールド・ピクチャが通常の配置になるように、前記変更されたビデオ・セグメントを選択的に復号し再符号化するステップを含んでいる、請求項８に記載の方法。
【請求項１０】
前記変更は、前記選択されたビデオ・セグメントから少なくとも１つのフィールド・ピクチャを取り除くステップを含んでいるものである、請求項１に記載の方法。
【請求項１１】
前記選択されたビデオ・セグメントから取り除かれる前記フィールド・ピクチャの数は、前記変えられた再生速度に基づいて決まるものである、請求項１０に記載の方法。
【請求項１２】
書き換え可能な記憶媒体に記録されたフィールド・ピクチャを含んでいる選択されたビデオ・セグメントの再生速度を変えるシステムであって、
前記書き換え可能な記憶媒体の一部に記録されたビデオ・セグメントを選択的に読み取るための記憶媒体読み取り回路と、
変えられた再生速度用に前記選択されたビデオ・セグメントを変更し、変更されたビデオ・セグメントを供給するビデオ・プロセッサと、
前記記憶媒体の前記一部に前記変更されたビデオ・セグメントを記録するビデオ記録回路と、
を具えるシステム。
【請求項１３】
前記ビデオ記録回路は、前記記憶媒体の前記一部に排他的に前記変更されたビデオ・セグメントを記録するものである、請求項１２に記載のシステム。
【請求項１４】
前記ビデオ・プロセッサは、前記選択されたビデオ・セグメントに於ける複数の非ビデオ・パックを削除して、前記変更されたビデオ・セグメントに含まれるデータの量を減少させるものである、請求項１２に記載のシステム。
【請求項１５】
前記ビデオ・プロセッサは、前記変更されたビデオ・セグメントに含まれる少なくとも１つのフレームの解像度を減少させるものである、請求項１２に記載のシステム。
【請求項１６】
前記ビデオ・プロセッサは、前記変更されたビデオ・セグメントを記録する期間に於いてビットレートを低下させるものである、請求項１２に記載のシステム。
【請求項１７】
前記ビデオ・セグメントは、イントラ・フィールド・ピクチャと非イントラピクチャとで構成されるものである、請求項１２に記載のシステム。
【請求項１８】
前記ビデオ・プロセッサは、前記選択されたビデオ・セグメントに、ダミー・フィールド・ピクチャと反復フィールド・ピクチャとで構成された少なくとも１つのグループを挿入するものである、請求項１７に記載のシステム。
【請求項１９】
前記選択されたビデオ・セグメントに挿入される前記ダミー・フィールド・ピクチャと前記反復フィールド・ピクチャの数は、前記変えられた再生速度に基づいて決まるものである、請求項１８に記載のシステム。
【請求項２０】
前記ビデオ・プロセッサは、前記イントラ・フィールド・ピクチャおよび非イントラ・フィールド・ピクチャ、前記ダミー・フィールド・ピクチャ、および前記反復フィールド・ピクチャが通常の配置になるように、前記変更されたビデオ・セグメントを選択的に復号し再符号化するものである、請求項１９に記載のシステム。
【請求項２１】
前記ビデオ・プロセッサは、前記選択されたビデオ・セグメントから少なくとも１つのフィールド・ピクチャを取り除くものである、請求項１２に記載のシステム。
【請求項２２】
前記選択されたビデオ・セグメントから取り除かれる前記フィールド・ピクチャの数は、前記変えられた再生速度に基づいて決まるものである、請求項２１に記載のシステム。
【発明の詳細な説明】
【技術分野】
【０００１】
本発明は、一般的には、例えば記録可能なディジタル・ビデオ・ディスク、ハード・ドライブおよび光磁気ディスクのようなディスク・メディア（媒体）に記録されたプログラム用の高度な動作（処理）機能を実現する方法および装置に関する。
【背景技術】
【０００２】
ユーザは、トリック・モードにより様々な速度で記録ビデオを視聴することができるが、そのビデオはその処理によっても永久には変えられない。そのビデオを後で表示する場合、そのビデオを様々な速度で視聴するためには、ユーザは別のトリック・モードを起動しなければならない。しかし、重要なこととして、多くのユーザは、そのビデオがいったんディスクに記録された後、そのビデオを変更することにより特定の部分のビデオの再生（ｐｌａｙｂａｃｋ）速度を永久的に変えたいことがある。そのような処理は、ユーザがトリック・モード・コマンドを呼び出すことなく、再生中の速度の変更を可能にするものである。残念ながら、そのような形態で記録ビデオを編集することを実行不可能にする幾つかの重大な障害が存在する。具体的には、元のビデオにより占有されているスペースは、低速度（スロー・モーション）再生を生成するために繰り返さなければならない複数のピクチャを記憶するには十分な大きさではない。スペースの限界に加えて、ディスク上でピクチャを繰り返すと、ビデオの通常のピクチャ構成に干渉する（悪影響を与える）可能性があり、それにより再生中のビデオの表示品質が低下する可能性がある。
【０００３】
しかし、低速度（スロー・モーション）編集の障害となるスペースの限界が、高速順方向再生を生成するために行われる記録ビデオの変更に影響を与えることはない。その理由は、高速順方向編集は、記録されたビデオからピクチャを単に削除するに過ぎないからである。それにもかかわらず、低速度修正の場合と同様に、高速順方向ビデオを生成すると、ビデオの通常のピクチャ構成にも悪影響を与える。従って、フィールド構成フォーマットで記録されたビデオの再生速度を変更できる装置は、そのような記録ビデオに関連するスペースおよび構成の限界を克服できる必要がある。
【発明の開示】
【０００４】
（発明の概要）
本発明に含まれる方法は、書き換え可能な記憶媒体に於いて、記憶媒体の一部に記録されたフィールド・ピクチャを含んでいる選択されたビデオ・セグメントの再生速度を変えるものである。或る構成例に於いて、本発明は、変えられた再生速度用に選択されたビデオ・セグメントを変更するステップと、その変更されたビデオ・セグメントを記憶媒体の一部に記録するステップと、を含んでいる。或る構成例に於いて、記録するステップは、更に、そのメディアのその一部に排他的にその変更されたビデオ・セグメントを記録するステップを含んでいる。また、本発明は、変更されたビデオ・セグメントに含まれるデータの量を減少させるために、選択されたビデオ・セグメントに於ける複数の非ビデオ・パックを削除するステップを含んでいる。更に、本発明は、変更されたビデオ・セグメントに含まれる少なくとも１つのフィールド・ピクチャの解像度を減少させ、記録するステップの期間に於いて、変更されたビデオ・セグメントのビットレートを低下させるステップを含んでいる。
【０００５】
上述の発明の或る構成例に於いて、選択されたビデオ・セグメントは、イントラ・フィールド・ピクチャおよび非イントラ・フィールド・ピクチャを含んでおり、変更するステップは、選択されたビデオ・セグメントに、ダミー・フィールド・ピクチャと反復フィールド・ピクチャとで構成された少なくとも１つのグループを挿入するステップを含んでいる。
【０００６】
別の特徴（側面）によれば、選択されたビデオ・セグメントに挿入されるダミー・フィールド・ピクチャおよび反復フィールド・ピクチャの数は、変えられた再生速度に基づいて決まるものである。更に、本発明は、イントラ・フィールド・ピクチャおよび非イントラ・フィールド・ピクチャ、ダミー・フィールド・ピクチャ、および反復フィールド・ピクチャの通常の配置のために変更されたビデオ・セグメントを選択的に復号し再符号化するステップを含んでいる。
【０００７】
別の構成例によれば、変更は、選択されたビデオ・セグメントから少なくとも１つのフィールド・ピクチャを取り除くステップを含んでいる。更に、選択されたビデオ・セグメントから取り除かれるフィールド・ピクチャの数は、変えられた再生速度に基づいて決めることができる。
【０００８】
別の構成例によれば、本発明は、書き換え可能な記憶媒体に記録されたフィールド・ピクチャを含んでいる選択されたビデオ・セグメントの再生速度を変えるシステムを含んでいる。上述のシステムは、書き換え可能な記憶媒体の一部に記録されたビデオ・セグメントを選択的に読み取るための記憶媒体回路と、変えられた再生速度用に選択されたビデオ・セグメントを変更するビデオ・プロセッサと、記憶媒体の一部に変更されたビデオ・セグメントを記録するビデオ記録回路と、を具えている。また、そのシステムは、上述の方法を実現するための適当なソフトウェアおよび回路を含んでいる。
【発明を実施するための最良の形態】
【０００９】
記録可能なＤＶＤ装置
図１には、本発明の構成による種々の高度な動作（処理）機能を実現する装置１００がブロック図形式で示されている。書き換え可能なディスク・メディアは、例示された実施形態に於いて、書き換え可能なＤＶＤとして具体化されている。以下で説明するように、多くの事例では、書き換え可能なディスク・メディアは、例えばハード・ドライブまたは光磁気ディスク（ＭＯＤ：Ｍａｇｎｅｔｏ  Ｏｐｔｉｃａｌ  Ｄｉｓｃ）であってもよい。ＭＯＤの一例はミニディスクである。更に、本発明はディジタル・テープ機器に於いて用いることもできる。実際のところ、本発明は、何らかの特定の記憶媒体装置に限定されることなく、その他の任意の適当な記憶媒体装置に於いて用いることができる。
【００１０】
装置１００は、この例では書き換え可能なＤＶＤ１０２である記憶媒体に書き込みおよびその記憶媒体から読み出すことができる。以下では、主に書き換え可能なＤＶＤに関して説明するが、本発明は、それに限定されることなく、その他の任意の適当な記憶媒体を用いることができる。その装置は、機械的アセンブリ（組立体、構造体）１０４、制御部１２０、ビデオ／オーディオ入力処理パス（経路）１４０、およびビデオ／オーディオ出力処理パス１７０を具えている。それら複数のブロックの中の大部分のものの様々な部分またはパスへの割り当て方は自明であり、その幾つかのブロックの割り当て方は、都合良くなるように行われ、その装置の動作を理解するのには重要ではない。
【００１１】
機械的アセンブリ１０４は、ディスク１０２を回転させるためのモータ１０６と、ディスク１０２が回転するに従ってディスク１０２上を移動するよう適合化できるピックアップ・アセンブリ１０８と、を含んでいる。ピックアップ・アセンブリ１０８上のレーザは、ビデオおよび／またはオーディオ・プログラム素材（ｍａｔｅｒｉａｌ）を記録し再生するために、ディスク１０２上の螺旋状のトラックにスポットを焼き付け、そのトラックに既に焼き付けられたスポットに光を当てる。ディスク１０２が一面または両面に記録可能であるかどうか、または両面に記録するとき、ディスク１０２への両面記録またはその後のディスク１０２からの読み取りがディスク１０２の同じ面または両面から生じるかどうかは、本発明を理解するのに重要ではない。ピックアップ・アセンブリ１０８およびモータ１０６は、サーボ１１０により制御できる。サーボ１１０は、第１の入力として、ディスク１０２の螺旋状トラックから読み出されたデータの再生信号を受信することもできる。その再生信号は、エラー訂正回路１３０への入力でもあり、エラー訂正回路１３０は、その制御部の一部またはビデオ／オーディオ出力処理パス１７０の一部と見做すことができる。
【００１２】
制御部１２０は、制御用中央処理装置（ＣＰＵ）１２２およびナビゲーション・データ発生回路１２６を具えている。制御用ＣＰＵ１２２は、第１の入力信号をナビゲーション・データ発生回路１２６に供給する。サーボ１１０は、第２の入力信号をナビゲーション・データ発生回路１２６に供給する。サーボ１１０は制御部１２０の一部と見做すこともできる。ナビゲーション・データ発生回１２６は、第１の入力信号をマルチプレクサ（ＭＵＸ）１５４に供給し、マルチプレクサ１５４は、ビデオ／オーディオ処理パス１４０の一部を形成する。
【００１３】
ＭＵＸ１５４の出力は、エラー訂正符号化回路１２８への入力となる。エラー訂正符号化回路１２８の出力は、ピックアップ１０８に供給される記録可能な入力信号である。その入力信号は、レーザによりディスク１０２の螺旋状トラックに「焼き付ける」ことができる。
【００１４】
更に、ビデオ符号化器１４４、ビデオ復号器１７８、およびオーディオ復号器１８２の動作のＣＰＵ１２２による制御を可能にする制御用インタフェースおよびデータ・インタフェースを設けることができる。適当なソフトウェアまたはファームウェアを、制御用ＣＰＵ１２２により実行される通常の動作用のメモリに設けることができる。更に、本発明の構成に従って、ＣＰＵ１２２を制御するために、記録ビデオ編集機能１３４用のプログラム・ルーチンが設けられる。
【００１５】
視聴者により付勢可能な機能用の制御バッファ１３２は、現在利用可能な機能を表示するものであり、即ち、再生、記録、逆方向、高速順方向、低速再生、ジャンプ、ポーズ（一時停止）／再生、および停止を表示することができる。更に、記録ビデオ編集機能を実行するためのコマンドを受信するために、編集バッファ１３６を設けることができる。
【００１６】
出力処理パス１７０は、エラー訂正ブロック１３０、トラック・バッファ１７２、条件付きアクセス回路１７４、およびデマルチプレクサ１７６を具えている。トラック・バッファ１７２は、ディスク１０２から読み出されたデータを、更に処理するために、読み取って一時的に記憶する。このデータは、条件付きアクセス回路１７４により処理することができ、条件付きアクセス回路１７４は、そのデータが、デマルチプレクサ１７６を介してビデオおよびオーディオ処理用のそれぞれのパスに伝播するのを制御することができる。更に、出力処理パス１７０は、パケット・ビデオ符号化器１７８、テレビジョン符号化器１８０、オーディオ復号器１８２、およびオーディオＤ／Ａ１８４を含んでいる。
【００１７】
ビデオ／オーディオ入力処理パス１４０は、装置１００によりディジタル記録するために、通常のテレビジョン信号をディジタル化パケット・データに変換する信号処理回路とするものである。入力パス１４０は、テレビジョン復号器１４２と、パケット・ビデオ符号化器１４４とを含んでいる。更に、入力処理パス１４０は、オーディオＡ／Ｄ１４６と、オーディオ符号化器１４８とを含んでいる。通常動作の期間に於いて、複数のディジタル化信号を、マルチプレクサ１５０に於いて合成する（組み合わせる）ことができ、次いで、１つのパケット全体が組み立てられてしまうまで記録バッファ１５２に記憶することができる。オーディオおよびビデオ・データ・パケットのグループが生成されると、それは、マルチプレクサ１５４に於いて、ナビゲーション・データ生成ブロック１２６に於いて生成された適当なナビゲーション・パケットと合成される。次いで、そのパケットは、エラー訂正符号化回路１２８に送られる。エラー訂正符号化回路１２８は、入力パス１４０の一部と見做すことができる。
【００１８】
ユーザがディスク１０２に記憶されたビデオの一部を編集したいと思う場合、編集バッファ１３６は制御用ＣＰＵ１２２に信号を送る。或る構成例に於いて、制御用ＣＰＵ１２２は、パケット・ビデオ符号化器１７８に信号を送って、ディスク１０２上の特定の位置から読み出されているビデオに含まれるフィールド・ピクチャを復号し、次いで、その復号されたピクチャを含んでいるビデオをパケット・ビデオ符号化器１４４に送る。後で説明するように、代替的構成では、それらのフィールド・ピクチャの中の或る選択された数のフィールド・ピクチャだけを編集処理の期間に於いて復号する必要がある。何れの構成に於いても、フィールド・ピクチャに関連する任意のオーディオはオーディオ復号器１８２に転送される。次いで、制御用ＣＰＵ１２２は、オーディオ復号器１８２にオーディオを一時的に記憶するように命令を出す。しかし、余分なスペースを作るためには、そのオーディオは、一般的には、編集処理の期間に於いて、そのビデオと再合成されることはない。むしろ、そのオーディオは、典型的には、オーディオ復号器１８２に於ける記憶バッファがオーバフローしたときに捨てられる。オーディオ成分（コンポーネント）を取り除くことに加えて、変更されたビデオに関連するサブピクチャ情報は、分離されて、その変更されたビデオと再統合されることは防止される。
【００１９】
復号されたピクチャを含んでいるビデオ信号が、いったんパケット・ビデオ符号化器１４４に於いて受信されると、ビデオ符号化器１４４は、ピクチャを加えたりまたは削除したりすることによりビデオ信号を変更する。以下で詳しく説明するように、ビデオ信号にピクチャを加えることにより低速度ビデオを生成することができ、ビデオからピクチャを削除することにより高速順方向ビデオを生成することができる。次いで、ビデオ符号化器１４４は、変更されたビデオがディスク１０２に配置されるように、そのピクチャを再符号化する。
【００２０】
編集されたビデオ信号に於けるピクチャが再符号化された後、ビデオ信号は単にマルチプレクサ１５０を介して伝播する。その理由は、オーディオは、典型的には、変更されたビデオ信号とは合成されないからである。次いで、編集されたビデオは、通常のビデオの形態と同様の形態で処理される。即ち、変更されたビデオ信号は、マルチプレクサ１５４に於いてナビゲーション・データと合成され、エラー訂正符号化回路１２８によりエラー訂正される。後で説明するように、次いで、編集されたビデオ信号は、ディスク１０２上の元のスペースに記録されて戻される。
【００２１】
明らかに、本発明は、ハードウェア、ソフトウェア、およびハードウェアとソフトウェアの組み合わせの形態で実現できる。本発明によるマシン読み取り可能な記憶装置は、例えば、制御用ＣＰＵ１２２のような１つのコンピュータ・システムに於いて集中化された形態で、または様々な構成要素が幾つかの相互接続されたコンピュータ・システムに跨って分散された分散形態で実現することができる。ここで説明する方法を実行するように適合化された任意の種類のコンピュータ・システムまたはその他の装置であってもよい（が受け入れ可能である）。
【００２２】
具体的には、ここで説明する本発明は、図１の制御用ＣＰＵ１２２を想定しているが、ハードウェアとソフトウェアの典型的な組み合わせは、ロードされて実行されたときに、ここで説明する方法を実行するような図１の制御部１２０と同様のＤＶＤ記録システムおよびコンピュータ・システムを制御するコンピュータ・プログラムを用いた汎用コンピュータ・システムであってもよい。本発明は、また、ここで説明する方法の実現を可能にする全ての機能を具えていて、コンピュータ・システムにロードされたときに、それらの方法を実行できるコンピュータ・プログラム製品（プロダクト）中に埋め込んでもよい。
【００２３】
本明細書の文脈に於けるコンピュータ・プログラムは、（ａ）別の言語、コードまたは表記法への変換、および（ｂ）種々の素材形態での再生、の何れか一方または双方の後で、または直接、情報処理機能を有するシステムに特定の機能を実行させるよう意図された一組の命令の任意の言語、コードまたは表記法による任意の表現を意味する。ここで開示する発明は、上述の制御用ＣＰＵ１２２と互換性のあるＯＳ（オペレーティング・システム）用の市販の開発ツールを用いてプログラマにより実現可能なコンピュータ・プログラム中に埋め込まれる方法であってもよい。
【００２４】
ＤＶＤデータ構造
図２は、典型的なＤＶＤ構成を例示している。但し、図示された構成を変形することは可能であり、本発明は図示された特定の実施形態に限定されるものではない。図２に示されているように、各ＤＶＤは、ビデオ・マネージャ２６と、ビデオ・タイトル・セット（集合体）（Ｖｉｄｅｏ  Ｔｉｔｌｅ  Ｓｅｔ：ＶＴＳ）２８とを含んでいる。ＶＴＳ２８は、ビデオ・タイトル・セット情報（Ｖｉｄｅｏ  Ｔｉｔｌｅ  Ｓｅｔ  Ｉｎｆｏｒｍａｔｉｏｎ：ＶＴＳＩ）２７、メニュー用のオプション（任意選択）のビデオ・オブジェクト・セット（Ｖｉｄｅｏ  ＯＢｊｅｃｔ  Ｓｅｔ：ＶＯＢＳ）２９、実際のタイトル・コンテンツ（内容）を含んでいるタイトル用の１つまたはそれ以上のＶＯＢＳ３０、およびＶＴＳＩバックアップ３１を含んでいる。各ＶＯＢＳ３０は、複数のビデオ・オブジェクト（Ｖｉｄｅｏ  ＯＢｊｅｃｔ：ＶＯＢ）３２で構成されている。各ビデオ・オブジェクト３２は、複数のセル３４を含んでいる。また、各ＶＯＢＳ３０は、１つまたはそれ以上のセルに対するポインタの集合体（コレクション）を含んでいる。このようにして、ＶＯＢＳ３０のデータは、複数のセル３４を互いにリンクさせて、どの順序でプログラムまたはセル３４が再生されるべきかを示す。特定のＶＯＢＳ３０内のセル３４に、任意の所望の順序で、再生のためにフラグを立てることができる。例えば、それらのセルは、順次にまたはランダムに再生することができる。
【００２５】
各セル３４は、複数のビデオ・オブジェクト・ユニット（Ｖｉｄｅｏ  ＯＢｊｅｃｔ  Ｕｎｉｔ：ＶＯＢＵ）３６を含んでいる。ディスクのビデオ・コンテンツが存在する複数のＶＯＢＵ３６の各々は、典型的には、０．４〜１．０秒分のプレゼンテーション素材を含んでいる。各ＶＯＢＵは、ちょうど１つのナビゲーション・パック（ＮＶ＿ＰＣＫ）３８で開始して、１つまたはそれ以上のオーディオ・パック（Ａ＿ＰＣＫ）４０、１つまたはそれ以上のビデオ・パック（Ｖ＿ＰＣＫ）４１、および１つまたはそれ以上のサブピクチャ・パック（ＳＰ＿ＰＣＫ）４２を含んでいる。更に、各ＶＯＢＵ３６は、公称上または正規には、１つのグループ・オブ・ピクチャ（Ｇｒｏｕｐ  Ｏｆ  Ｐｉｃｔｕｒｅｓ：ＧＯＰ）で構成されている。
【００２６】
フィールド構成フォーマットで記録されたビデオ・プレゼンテーション用の再生速度の変化
本発明の構成によれば、ユーザは、記憶媒体に既に記録された、フィールド・ピクチャを含んでいるビデオの再生速度を変えることができる。ユーザが、記録されたビデオを編集して低速度ビデオを生成したいと思った場合、１つまたはそれ以上のピクチャをそのビデオに挿入してその効果を得ることができる。次いで、その変えられたビデオは、記憶媒体上の、元のビデオにより前に占有されていた同じスペースに記録できる。ユーザが、高速順方向ビデオを生成したいと思った場合は、１つまたはそれ以上のピクチャをその記録ビデオから取り除けばよい。低速度編集処理と同様に、ビデオは、元のビデオのメディア・スペースに記録できる。何れの処理に於いても、編集されたビデオは再符号化されて、より高品質の再生およびトリック・モード動作を生じる。
【００２７】
多くのテレビジョン装置は、インタレース型走査技術を用いている。インタレース型走査の下では、テレビジョン・ピクチャは２つのフィールドに分割され、各フィールドはピクチャに含まれている情報の半分を表している。２つのフィールドは、一般に、上側（トップ：Ｔ）フィールドと下側（ボトム：Ｂ）フィールドと呼ばれ、それらの一対の組み合わせで、上側フィールドと下側フィールドが１つのピクチャ全体を表す。上側フィールドと下側フィールドは時間的に異なっており、６０Ｈｚ電力線標準の国では、約１／６０秒だけ離れている。従って、インタレース型走査により、帯域幅の増大の必要もなく６０枚の画像を視聴者に対して表示することができる。
【００２８】
次の構成は、表示の順序でフィールド・ピクチャを含んでいるＭＰＥＧビデオ・ストリームに於ける通常のＧＯＰ構成であり、本発明の構成を説明するのに役立つ。
Ｂ０ＴＢ０ＢＢ１ＴＢ１ＢＩ２ＴＩ２ＢＢ３ＴＢ３ＢＢ４ＴＢ４ＢＰ５ＴＰ５ＢＢ６ＴＢ６ＢＢ７ＴＢ７ＢＰ８ＴＰ８ＢＢ９ＴＢ９ＢＢ１０ＴＢ１０ＢＰ１１ＴＰ１１ＢＢ１２ＴＢ１２ＢＢ１３ＴＢ１３ＢＰ１４ＴＰ１４Ｂ
【００２９】
上に示されているように、フィールド・ピクチャを含んでいるＭＰＥＧビデオは、一般的には、イントラ（Ｉｎｔｒａ：Ｉ）フィールド、予測（Ｐｒｅｄｉｃｔｉｖｅ：Ｐ）フィールドおよび双方向予測（Ｂｉｄｉｒｅｃｔｉｏｎａｌ：Ｂ）フィールドの３つのタイプのピクチャ記憶方法を用いる。Ｉ、ＰおよびＢフィールドは、添字「Ｔ」で示された上側フィールドまたは添字「Ｂ」で示される下側フィールドの何れかである。ＰフィールドおよびＢフィールドは、一般的に、非イントラ（非Ｉ）フィールドと呼ばれる。経験によれば、各一対をなす（各一対の）Ｉフィールド・ピクチャとＰフィールド・ピクチャの間に２対のＢフィールド・ピクチャを配置すると旨く行くことが分かっている。従って、示されている通常のＧＯＰ構成が一般的に用いられている。この分野の専門家であれば、その他のＧＯＰ構成も一般的に用いられ、通常のものであると考えられることが分かるであろう。実際のところ、本発明は、ＰフィールドまたはＰフレームおよびＩフィールドまたはＩフレームだけを符号化するように設計されているＭＰＥＧ符号化器、またはＩフィールドまたはＩフレームだけの符号化に限定される符号化器に適用することができる。
【００３０】
図３Ａを参照すると、フローチャート３００は、フィールド・ピクチャを含んでいるビデオに対して低速度編集がどのように行われるかを例示している。図３Ｂ〜図３Ｈは、その低速度編集処理の例を示している。特に、図３Ｂ〜図３Ｈは、通常の単一のＧＯＰがどのように変えられて２分の１の再生速度を生じさせることができるかを示している。しかし、本発明は、それに限定されることなく、ビデオの任意の部分が通常再生より低い任意の速度で再生されるようにしてもよい。
【００３１】
装置１００は、図３Ａのステップ３１０で始まり、記憶媒体からデータの読み取りを開始できる。図３Ｂは、編集前のフィールド・ピクチャを含んでいる通常のＧＯＰの形式を示している。ステップ３１２に於いて、図１のデマルチプレクサ１７６は、記録されたビデオ信号のビデオ成分を非ビデオ成分から分離して、非ビデオ成分を捨てることができる。非ビデオ成分の例には、Ａ＿ＰＣＫ４０およびＳＰ＿ＰＣＫ４２が含まれる。但し、ＮＶ＿ＰＣＫ３８は、編集中のビデオ信号中に残すことができる。その理由は、ＤＶＤ標準により、各ＶＯＢＵ３６はＮＶ＿ＰＣＫ３８を持つことが要求されるからである。次いで、非ビデオ成分を捨てることができる。
【００３２】
ステップ３１４に示されているように、本発明の構成によれば、選択された数のフィールド・ピクチャだけを復号する必要がある。或る構成例に於いて、ビデオ信号に於ける１つまたはそれ以上のＩフィールド・ピクチャを復号することができる。これにより、そのようなフィールド・ピクチャは、スペースを節約するために、非Ｉフィールド・ピクチャに再符号化することができる。この処理は以下でより詳しく説明する。更に、ビデオ信号にピクチャを加えてより低速の再生を行うには追加的ＧＯＰが必要になるので、１つまたはそれ以上の非Ｉフィールド・ピクチャを復号して、それにより、そのようなピクチャをＩフィールド・ピクチャに再符号化することができる。この手順により、各付加的ＧＯＰが少なくとも１つのＩフィールド・ピクチャを有することが保証され、そのＩフィールド・ピクチャから残りの非Ｉフィールド・ピクチャが生成される。
【００３３】
次いで、ステップ３１６に於いて、ステップ３１４で選択的に復号されたフィールド・ピクチャを再符号化することができる。例えば、ステップ３１４に於いて復号されたＩフィールド・ピクチャは、Ｐフィールド・ピクチャに再符号化することができる。この処理の例は、図３Ｃに示されており、フィールド・ピクチャＩ２Ｂが復号されてフィールド・ピクチャＰ２Ｂに再符号化される。Ｉフィールド・ピクチャをＰフィールド・ピクチャに再符号化することにより、記憶媒体に記憶する必要のある情報の量を減少させることが促進される。その理由は、Ｐフィールド・ピクチャが典型的にはＩフィールド・ピクチャより少ない記憶スペースしか必要としないからである。しかし、本発明はそれに限定されるものではなく、Ｉフィールド・ピクチャがその他の任意の適当なフォーマットに再符号化できることに留意すべきである。
【００３４】
続いて、ステップ３１６に於いて、ステップ３１４で復号された非Ｉフィールド・ピクチャをＩフィールド・ピクチャに再符号化することができる。それにより、任意の追加的ＧＯＰが残りの非Ｉフィールド・ピクチャを組み立てるために必要な参照フィールド・ピクチャを持つことが保証される。図３Ｄは、その処理の例を示しており、フィールド・ピクチャＰ８Ｔはフィールド・ピクチャＩ８Ｔに再符号化される。しかし、図３Ｄは、単なる一例に過ぎず、その他の任意の適当な非Ｉフィールド・ピクチャを選択して復号し、その後再符号化して参照フィールド・ピクチャを生成することができる。
【００３５】
図３Ａのステップ３１８に進み、ダミー・フィールド・ピクチャ（ｄｕｍｍｙ  ｆｉｅｌｄ  ｐｉｃｔｕｒｅｓ）が編集中のビデオに加えられる場合、パケット・ビデオ符号化器１４４は、ステップ３２０に示されているように、１つまたはそれ以上のダミー・フィールド・ピクチャをビデオ信号に挿入することができる。ダミー・フィールド・ピクチャは、特定のＩフィールド・ピクチャまたは非Ｉフィールド・ピクチャの単なる反復（繰り返し）にすぎないＭＰＥＧピクチャである。しかし、留意点として、離散コサイン変換（Ｄｉｓｃｒｅｔｅ  Ｃｏｓｉｎｅ  Ｔｒａｎｓｆｏｒｍ：ＤＣＴ）係数およびダミー・フィールド・ピクチャの動きベクトルはゼロ（０）にセットされる。従って、ダミー・フィールド・ピクチャは、記憶媒体上の記憶スペースをほとんど必要としない。更に、ダミー・フィールド・ピクチャは、既に圧縮されたフォーマットになっており、従って、記憶媒体に記録される前に符号化する必要はない。
【００３６】
或る構成例に於いて、ダミー・フィールド・ピクチャは、その親フィールド・ピクチャの直前または直後に配置することができる。しかし、本発明は、それに限定されるものではなく、ダミー・フィールド・ピクチャは、ビデオ信号中のどこにでも挿入してよい。ビデオ信号に挿入されたダミー・フィールド・ピクチャの数は、選択された低速度の速度に応じて決まる。例えば、単一のダミー・フィールド・ピクチャは、非Ｉフィールド・ピクチャに再符号化された各Ｉフィールド・ピクチャを含めてビデオ信号中の各親フィールド・ピクチャの前または後に挿入して、通常再生速度の２分の１の再生速度を生じさせることができる。図３Ｅは、その例を示している。より低速の再生速度を生じさせるには、より多数のダミー・フィールド・ピクチャを挿入する必要がある。
【００３７】
或る構成例に於いて、それらダミー・フィールド・ピクチャは、編集中のビデオに於けるどこにでも挿入してよいが、ダミー・フィールド・ピクチャは、より円滑な再生が生成されるように戦略的に挿入することができる。即ち、上側フィールド・ピクチャおよび下側フィールド・ピクチャは、親の上側フィールド・ピクチャとそれに関連するダミー・フィールド・ピクチャが順に配置されるようにグループ化することができる。例えば、所望の再生が通常再生の３分の１の速度である場合は、２つのダミー上側フィールド・ピクチャを、複製された上側フィールド・ピクチャの前または後の何れかに挿入すればよい。代替構成として、元の上側フィールド・ピクチャは、ダミー上側フィールド・ピクチャ間に配置してもよい。また、その処理も下側フィールド・ピクチャ用に複製して用いてもよい。図３Ｆは、この手順の例を示している。このように、ダミー・フィールド・ピクチャを挿入することにより、特定のフィールド・ピクチャおよびそれに関連するダミー・フィールド・ピクチャが連続する順序で示される。
【００３８】
図３Ｆに示されているように、再生の期間に於いて、上側フィールドＰ１Ｔおよびその２つのダミー・フィールド・ピクチャＰ１Ｔｄ１、Ｐ１Ｔｄ２は、連続的に表示することができる。同様に、下側フィールドＰ１Ｂおよびそれに関連するダミー・フィールド・ピクチャＰ１Ｂｄ１、Ｐ１Ｂｄ２も連続的に表示することができる。各上側フィールド・ピクチャは、他の上側フィールド・ピクチャに時間的に類似し、各下側フィールド・ピクチャは、他の下側フィールド・ピクチャに時間的に類似しているので、上側フィールド・ピクチャおよび下側フィールド・ピクチャをグループの形態で配置して連続的に表示させると、より円滑な再生が生成される。上側フィールド・ピクチャおよび下側フィールド・ピクチャを交互に配置すると、上側フィールド・ピクチャと下側フィールド・ピクチャが交互に表示されて、より激しく変動する再生が生成されるであろう。
【００３９】
本発明は、編集中のビデオにダミー・フィールド・ピクチャを加えて低速度の再生を生成することに限定されるものではない。図４Ａのステップ４２２に示されているように、代替構成では、低速度の編集のために、１つまたはそれ以上の反復フィールド・ピクチャをビデオ信号に挿入することができる。反復フィールド・ピクチャは、その親フィールド・ピクチャの複製である圧縮されていないピクチャである。
【００４０】
反復フィールド・ピクチャが加えられる場合、１つまたはそれ以上の反復フィールド・ピクチャがステップ３２４に於いて編集中のビデオに挿入される。ダミー・フィールド・ピクチャを挿入する処理と同様に、ビデオに加えられる反復フィールド・ピクチャの数は所望の再生速度により決定される。即ち、より低速の再生速度には、より多数のフィールド・ピクチャを加える必要がある。ダミー・フィールド・ピクチャの挿入と同様に、反復フィールド・ピクチャをその親フィールド・ピクチャの直前または直後に挿入することができる。更に、より円滑な再生のためには、上側フィールド反復ピクチャをまとめてグループ化し、また下側フィールド反復ピクチャをまとめてグループ化することが好ましい。しかし、本発明は、それに限定されるものではなく、反復フィールド・ピクチャは編集中のビデオのどこにでも挿入することができる。
【００４１】
図３Ｅは、２分の１の速度で再生するために、ダミー・フィールド・ピクチャを挿入することを示すことに加えて、反復フィールド・ピクチャを加えた結果として２分の１速度再生を生成する場合を表している。いったん反復フィールド・ピクチャが挿入されると、それらピクチャは、図３Ａのステップ３２６に示されるように符号化される。従って、本発明の構成に従って、１つまたはそれ以上のダミー・フィールド・ピクチャ、１つまたはそれ以上の反復フィールド・ピクチャまたはそれらの組み合わせを編集中のビデオに挿入して、低速度再生を実現することができる。
【００４２】
図３Ｅに示されているように、ダミーおよび／または反復フィールド・ピクチャがビデオ信号中に配置された（更に反復フィールド・ピクチャが符号化された）後、ＧＯＰは、図３Ｇに示され、図３Ａのステップ３２８に示されているように、２つまたはそれ以上のＧＯＰに分割することができる。ビデオ信号を２つまたはそれ以上のＧＯＰに分離することが望ましい。その理由は、編集中のビデオの一部に於けるフィールド・ピクチャの数が増大し、ＤＶＤ標準では、１つのＧＯＰに含ませることができるフィールド・ピクチャの数を３６に制限しているからである。元のＧＯＰまたは新しく生成されたＧＯＰの何れにでも、最大で３６個までのフィールドを配置できるが、各ＧＯＰには等しい数のフィールド・ピクチャを配置して、それにより、通常のＧＯＰ構成に従うように、必要に応じて各ＧＯＰに更に別の処理を施すことのできることが好ましい。
【００４３】
次いで、新しいＧＯＰは、ステップ３３０に示されているように、記憶媒体に記録することができる。本発明の構成に従って、編集されたビデオは、元のビデオが前に占有していた同じスペースに配置することができる。その理由は、ビデオ中に配置される任意のダミー・フィールド・ピクチャが、ほとんど記憶スペースを（ほんの僅かな記憶スペースしか）必要としないからである。その理由は、それが符号化された画像情報を全く含んでいないからである。更に、符号化された反復フィールド・ピクチャは、典型的には、ほんの僅かな符号化された情報量しか含んでいない。その理由は、それらが、典型的には、その親フィールド・ピクチャと実質的に同じであるからである。更に、元のスペースにそれらを適合させる（はめ込む）のにどのような記憶スペースが必要であっても、削除された非ビデオ情報を記憶するために前に用いられた記憶媒体上のスペースを用いることにより、それに対処することができる。
【００４４】
しかし、或る構成例に於いて、編集されたビデオを元の記録位置に適合させるのに十分な記憶媒体上の場所（空き）がない場合、或る数のフィールド・ピクチャを復号して、次いでそのピクチャの解像度または画像品質を低下させるように再符号化することもできる。そのような処理により、フィールド・ピクチャに必要な記憶スペースの量が減少する。代替構成として、編集されたビデオを記憶媒体に記録するときに、ビデオ信号のビットレートを低下させることができる。ビットレートを低下させると、その結果としてビデオ・データの一部が失われ、画像の解像度がそれに対応して低下するが、そのような処理により、変更されたビデオ・シーケンスを記録するのに必要な記憶媒体上の物理的スペースの量が減少し、従って、編集されたビデオ信号を元の記録位置に適合させることができる。
【００４５】
代替実施形態として、いったんダミーおよび／または反復フィールド・ピクチャが加えられると、編集されたビデオを含んでいる複数のＧＯＰの中の１つまたはそれ以上のＧＯＰを、図３Ｂに示されているように、通常のＧＯＰ構成にマッチ（一致、整合）するように再符号化することができる。新しいＧＯＰを通常のＧＯＰ構成に再符号化すると、より円滑な再生が生成でき、トリック・モードの性能を改善することができる。そのようにするために、ＧＯＰ中の多数のフィールド・ピクチャを復号して、順次、通常のＧＯＰフォーマットに再符号化する。例えば、図３Ｇおよび図３Ｈを参照すると、ＧＯＰ１のＢ０ＴおよびＢ０ｄＴは、復号して再符号化する必要はない。その理由は、フィールド・ピクチャを含んでいる通常のＧＯＰが、典型的には、４つのＢフィールド・ピクチャで始まるからである。しかし、それに続く例、Ｂ１Ｔは、復号されてフィールド・ピクチャＩ１Ｔに再符号化することができる。このフィールド・ピクチャＩ１Ｔは、ＧＯＰ１用の参照フィールド・ピクチャとして用いることができる。この処理は、ＧＯＰ１およびＧＯＰ２の構成が、図４Ｈに示されているように、通常の構成にマッチするまで継続する。しかし、前述の説明は、ほんの一例であって、その他の任意の適当なシーケンスを用いて、編集されたビデオ中の複数のＧＯＰの中の１つまたはそれ以上のＧＯＰを通常のＧＯＰに再符号化してもよい。
【００４６】
代替構成として、ＧＯＰを、通常のＧＯＰ構成にマッチするように再符号化する場合、前述のように、選択された数のフィールド・ピクチャだけを復号するのではなくて、ステップ３１４に於いて、編集中のビデオの全てのフィールド・ピクチャを復号する。但し、その特定の構成では、フローチャート３００に於けるその他のステップは変わらない。
【００４７】
図４Ａを参照すると、フローチャート４００は、フィールド・ピクチャを含んでいるビデオに対して高速度（ファスト・モーション）編集を実行するための２つの方法を示している。図４Ｂ〜図４Ｆは、２倍速再生を生成するために、２つのＧＯＰに適用される高速度編集処理の各々の例を示している。但し、本発明は、それに限定されることなく、通常再生より高速の任意の速度で再生するように、ビデオの任意の部分を変えてもよいことに留意されたい。ステップ４１０に於いて、装置１００は、記憶媒体からデータの読み取りを開始する。ステップ４１２に於いて、図１のデマルチプレクサ１７６は、記録ビデオ信号のビデオ成分を、例えばＡ＿ＰＣＫ４０およびＳＰ＿ＰＣＫ４２のような非ビデオ成分から分離することができる。次いで、非ビデオ成分は捨てることができる。図３Ａの低速度処理と同様に、ＮＶ＿ＰＣＫ３８は、編集中のビデオ信号中に残すことができる。図４Ｂは、パケット・ビデオ符号化器１４４に供給されるときの、フィールド・ピクチャを含んでいる２つの通常のＧＯＰの形式を示している。
【００４８】
ステップ４１４に示されているように、各編集されたＧＯＰを通常のＧＯＰ構成に従わせるための再符号化ステップをその編集されたビデオに施さない場合、装置１００は、ビデオ信号からＢフィールド・ピクチャを取り除くことを開始する。この処理は、図４Ａのステップ４１６および図４Ｃに示されている。図４Ｃを参照すると、取り除かれる複数のＢフィールド・ピクチャは１つのＧＯＰ中に分散されて、連続するＢフィールド・ピクチャを含んでいる長い複数のグループに亘って分散されることはない。Ｂフィールド・ピクチャをこのような形態で取り除くことは好ましい。その理由は、それにより、より円滑な再生とトリック・モード性能が得られるからである。例えば、図４Ｃに示されているように、フィールド・ピクチャＢ０ＴおよびＢ０Ｂを取り除いて、フィールド・ピクチャＢ１Ｂ、Ｂ３ＴおよびＢ３Ｂが削除される前にフィールド・ピクチャＢ１Ｔを保持することができる。それに続いて、フィールド・ピクチャＢ４Ｔを保持して削除処理を継続することができる。しかし、図４Ｃに示された例は、本発明をその特定の削除シーケンスに限定することを意図してものではなく、その他の任意の適当な削除シーケンスを用いてもよいことに留意されたい。
【００４９】
ビデオ信号から削除されたフィールド・ピクチャの総数は、選択された高速度の速度に応じて決められる。例えば、通常再生の２倍の再生速度を得るためには、各ＧＯＰに含まれているフィールド・ピクチャの２分の１をビデオ信号から削除する。これは、図４Ｃに於いて達成される結果である。図４Ａのステップ４１８に於いて、装置１００は、Ｂフィールド・ピクチャの除去が所望の高速順方向再生速度を生じさせるのに十分であったかどうかを判定する。そう（十分）でない場合、装置１００は、ステップ４２０に示されているように、ビデオからＰフィールド・ピクチャを取り除き始める。Ｂフィールド・ピクチャを取り除く場合、削除されるＰフィールド・ピクチャは、１つのＧＯＰ中に分散されることが好ましい。
【００５０】
いったん適正な数のフィールド・ピクチャが削除されてしまうと、編集された複数のＧＯＰ中の残りの複数のピクチャを統合して、ステップ４２２に従って、図４Ｃに示されているように、編集されたビデオ信号に含まれている複数のＧＯＰの中の１つまたはそれ以上のものを満たすことができる。次いで、それらのフィールド・ピクチャは、図４Ａのステップ４２４に示されているように、記憶媒体に記録される。低速度編集処理と対比させると、高速順方向の編集されたビデオは、その元のメディア・スペースに簡単に適合させることができる。その理由は、１つまたはそれ以上のピクチャがそのビデオから削除されたからである。
【００５１】
或る構成例に於いて、ステップ４２６に示されているように、ダミー・データは残りの記憶媒体スペースに記録される。この処理により、編集されたビデオを受け取っていない記憶媒体のその部分にまだ残っている元のビデオの一部が記録装置により表示されることを防止することができる。例えば、残りのスペースに位置する元のビデオのＶ＿ＰＣＫ４１に存在するストリームＩＤは、このビデオが無視されるべきことを装置１００に命令するように変更される。ストリームＩＤがいったん変更されると、そのビデオは、今度はダミー・データと見做されて、記憶媒体上のその元の位置に記録されて戻される。しかし、本発明は、この特定の例に限定されるものではなく、他の周知の技術を用いて、装置１００に、編集処理により残りの元のメディアのスペース中の残りの元のビデオを無視させることもできる。
【００５２】
ステップ４１４に戻ると、編集されたＧＯＰは、通常のＧＯＰの構成にマッチするように再符号化され、ビデオ中のフィールド・ピクチャは、ステップ４１５に従って復号される。ステップ４１７に於いて、フィールド・ピクチャは、編集中のビデオ信号から取り除くことができる。それらのピクチャを含んでいるＧＯＰは、通常のＧＯＰにマッチするように再符号化され、その例が図４Ｄに示されており、従って、それはどのフィールド・ピクチャがビデオ信号から削除されたかには関係ない。しかし、前述の高速順方向編集処理と同様に、捨てられるフィールド・ピクチャは、より円滑な再生を生成するために１つのＧＯＰ全体に分散されることが好ましい。削除されるフィールド・ピクチャの数は、所望の高速再生速度に基づいて決められる。図４Ｅは、２倍再生速度を生じさせるための、図４Ｄの２つのＧＯＰに適用される処理を示している。しかし、図４Ｅに示された例は、本発明をその特定の削除シーケンスに限定しようとするものではなく、その他の任意の適当な削除シーケンスを用いて所望の再生速度を生じさせてもよいことは明らかである。
【００５３】
図４Ａのステップ４１９に於いて、残りのフィールド・ピクチャを統合することができ、次いで、図４Ａのステップ４２１に従って、図４Ｆに示されているように、フィールド・ピクチャを含んでいる通常のＧＯＰの構成にマッチ（合致）するように、その残りのフィールド・ピクチャを再符号化することができる。しかし、図４Ｆに示された例は、本発明をその特定の再符号化シーケンスに限定しようとするものではなく、その他の任意の適当な再符号化シーケンスを用いてもよい。ステップ４２３に於いて、フィールド・ピクチャがいったん再符号化されると、そのフィールド・ピクチャは、元のビデオにより前に占有されていた記憶媒体上のメディア・スペースに記録することができる。更に、ステップ４２６について前述したように、ダミー・データを、残りの任意の記憶媒体・スペースに挿入することもできる。
【図面の簡単な説明】
【００５４】
【図１】図１は、本発明の構成によるフィールド・ピクチャを含んでいる記録ビデオの再生速度を変えることができる書き換え可能なＤＶＤ装置のブロック図である。
【図２】図２は、書き換え可能なＤＶＤディスクのデータ構成を例示している。
【図３Ａ】図３Ａは、低速度再生を行うためのフィールド・ピクチャを含んでいるビデオの再生速度を変える動作を例示するフローチャートである。
【図３Ｂ】図３Ｂは、２分の１の再生速度を生じさせるための通常のＧＯＰに適用可能な図３Ａの編集処理を示している。
【図３Ｃ】図３Ｃは、２分の１の再生速度を生じさせるための通常のＧＯＰに適用可能な図３Ａの編集処理を示している。
【図３Ｄ】図３Ｄは、２分の１の再生速度を生じさせるための通常のＧＯＰに適用可能な図３Ａの編集処理を示している。
【図３Ｅ】図３Ｅは、２分の１の再生速度を生じさせるための通常のＧＯＰに適用可能な図３Ａの編集処理を示している。
【図３Ｆ】図３Ｆは、２分の１の再生速度を生じさせるための通常のＧＯＰに適用可能な図３Ａの編集処理を示している。
【図３Ｇ】図３Ｇは、２分の１の再生速度を生じさせるための通常のＧＯＰに適用可能な図３Ａの編集処理を示している。
【図３Ｈ】図３Ｈは、２分の１の再生速度を生じさせるための通常のＧＯＰに適用可能な図３Ａの編集処理を示している。
【図４Ａ】図４Ａは、高速度再生を行うためのフィールド・ピクチャを含んでいるビデオの再生速度を変える動作を例示するフローチャートである。
【図４Ｂ】図４Ｂは、２倍の再生速度を生じさせるための２つの通常のＧＯＰに適用される図４Ａの編集処理を示している。
【図４Ｃ】図４Ｃは、２倍の再生速度を生じさせるための２つの通常のＧＯＰに適用される図４Ａの編集処理を示している。
【図４Ｄ】図４Ｄは、２倍の再生速度を生じさせるための２つの通常のＧＯＰに適用される図４Ａの編集処理を示している。
【図４Ｅ】図４Ｅは、２倍の再生速度を生じさせるための２つの通常のＧＯＰに適用される図４Ａの編集処理を示している。
【図４Ｆ】図４Ｆは、２倍の再生速度を生じさせるための２つの通常のＧＯＰに適用される図４Ａの編集処理を示している。
【図１】
2005525710.tif 000003
【図２】
2005525710.tif 000004
【図３Ａ】
2005525710.tif 000005
【図３Ｂ】
2005525710.tif 000006
【図３Ｃ】
2005525710.tif 000007
【図３Ｄ】
2005525710.tif 000008
【図３Ｅ】
2005525710.tif 000009
【図３Ｆ】
2005525710.tif 000010
【図３Ｇ】
2005525710.tif 000011
【図３Ｈ】
2005525710.tif 000012
【図４Ａ】
2005525710.tif 000013
【図４Ｂ】
2005525710.tif 000014
【図４Ｃ】
2005525710.tif 000015
【図４Ｄ】
2005525710.tif 000016
【図４Ｅ】
2005525710.tif 000017
【図４Ｆ】
2005525710.tif 000018
【国際調査報告】
2005525710.tif 000019
2005525710.tif 000020
2005525710.tif 000021
2005525710.tif 000022
2005525710.tif 000023